(57)【要約】  使用または適用の前に、医療用または歯科用のデバイスまたは素材を支えるために形成される、化学的に活性化される自己発熱性のポーチである。このポーチは、歯科用の素材またはコンポジットを含有するチップやシリンジなどの歯科用のデバイスまたは素材を受け易くするための構造を有し、アクチベーターまたはトリガーを容易に活性化して、発熱素材の発熱性化学反応を開始し、歯科用のデバイスまたは素材を加熱することを可能にする。歯科用の素材またはコンポジットを加熱することによって、流動性および特性が向上する。
2017525432.tif 000002
【特許請求の範囲】
【請求項１】
素材を加熱するための自己発熱性デバイスであって、
素材を含有する容器を覆って設けられるように適合されたスリーブと、
前記スリーブ内に設けられる、化学的に活性化される発熱素材と
を備え、
上記によって、前記化学的に活性化される発熱素材を活性化した際に、発熱反応の結果、前記容器および前記素材が加熱される、自己発熱性デバイス。
【請求項２】
前記化学的に活性化される発熱素材が、過飽和溶液を含む、請求項１に記載のデバイス。
【請求項３】
前記過飽和溶液が、酢酸ナトリウム三水和物の溶液を含む、請求項２の記載のデバイス。
【請求項４】
前記化学的に活性化された発熱素材が、空気に曝されることによって活性化される、請求項２に記載のデバイス。
【請求項５】
前記素材が、歯科用素材である、請求項１に記載のデバイス。
【請求項６】
前記自己発熱性スリーブが、チューブを含む、請求項１に記載のデバイス。
【請求項７】
加熱される製造物を受けるように適合された製造物ポケットと、
前記製造物ポケットに隣接して設けられる発熱素材ポケットと、
前記発熱素材ポケット内に設けられて化学的に活性化される発熱素材と、
発熱素材トリガーと
を備え、
上記によって、前記発熱素材が、前記発熱素材トリガーによって選択的に活性化され得て、前記製造物が、使用前に加熱されうる、
自己発熱性製造物ポーチ。
【請求項８】
前記発熱素材が、酢酸ナトリウム三水和物の溶液を含む、請求項７に記載の自己発熱性製造物ポーチ。
【請求項９】
前記製造物が、歯科用素材を含有する歯科用カプセルを備える、請求項７に記載の自己発熱性製造物ポーチ。
【請求項１０】
取り外し可能なカバー部分を有するポーチと、
前記ポーチに含有される発熱素材容器と、
前記発熱素材容器内に含有される発熱素材と、
前記発熱素材に接し、このことによって、前記発熱素材容器内に含有される前記発熱素材を選択的に活性化する、アクチベーターと、
前記発熱素材容器上に設けられる製造物と
を備え、
上記によって、前記製造物は、前記発熱素材の活性化があると加熱され、かつ前記取り外し可能なカバー部分を取り外すことによって前記ポーチから取り外すことが可能である、
自己発熱性製造物ポーチ。
【請求項１１】
前記製造物が、歯科用素材を含有する歯科用カプセルを含む、請求項１０に記載の自己発熱性製造物ポーチ。
【請求項１２】
前記歯科用素材が、歯科用コンポジットを含む、請求項１１に記載の自己発熱性製造物ポーチ。
【請求項１３】
前記取り外し可能なカバー部分が、前記発熱素材容器からの熱の損失を防止する熱保持素材を含む、請求項１０に記載の自己発熱性製造物ポーチ。
【請求項１４】
上部発熱素材容器と、下部発熱素材容器と、前記上部発熱素材容器を前記下部発熱素材容器に連結するチャネルと、前記上部および下部の発熱素材容器内に設けられており、かつ活性化されると熱を生成することが可能である、発熱素材と、前記発熱素材に接するトリガーとを含み、前記発熱素材が選択的に活性化される、複数チャンバー型の自己発熱性製造物ポーチであって、
上記によって、前記上部発熱素材容器が、前記下部発熱素材容器の上に折り重なって、ポーチを形成することが可能である、自己発熱性製造物ポーチ。
【請求項１５】
前記発熱素材は、酢酸ナトリウム三水和物の溶液を含む、請求項１４に記載の複数チャンバー型の自己発熱性製造物ポーチ。
【請求項１６】
ポケットを形成する折り畳み可能な自己発熱性スリーブであって、
カバーと、
一端に沿って前記カバーに取付けられた第１の密閉ポーチチャンバーと、
一端に沿って前記第１の密閉ポーチチャンバーに取り付けられた第２の密閉ポーチチャンバーと、
前記第２の密閉ポーチチャンバーの一端から延伸する延長部と、
前記第１の密閉ポーチチャンバーを前記第２の密閉ポーチチャンバーに接続するチャネルと、
前記第１および第２の密閉ポーチチャンバー内に含有される化学的に活性化される発熱素材と、
前記化学的に活性化される発熱素材と接して、前記延長部内に密閉され、このことによって、前記化学的に活性化される発熱素材を活性化した際に、発熱反応が発生して熱を産生する、活性化トリガーと、
前記カバーを前記第２の密閉ポーチチャンバーに取り付けるための、前記カバーに取り付けられた取付け手段であって、このことによって、合わせて折り畳まれた際に、前記第１と第２の密閉ポーチチャンバーの間に前記ポケットが形成され、かつ前記化学的に活性化される発熱素材で加熱される前記ポケット内に、素材を中に有した容器を設けることが可能である、取付け手段と
を含む、自己発熱性スリーブ。
【請求項１７】
前記化学的に活性化される発熱素材が、酢酸ナトリウム三水和物の溶液の過飽和溶液を含む、請求項１６に記載のポケットを形成する折り畳み可能な自己発熱性スリーブ。
【請求項１８】
歯科用素材を充填された歯科用チップを前記ポケット内に設けてさらに含む、請求項１６に記載のポケットを形成する折り畳み可能な自己発熱性スリーブ。
【請求項１９】
歯科用シリンジのバレルを覆って設けるための自己発熱性スリーブであって、
外壁および内壁を有し、前記内壁は、孔を形成し、前記孔は、前記歯科用シリンジのバレルにわたって篏合するように適合された直径と、前記バレルの一部分およびその中に支持される歯科用カートリッジを覆うのに充分な長さとを有する、シリンダーと、
前記シリンダーの外壁と内壁との間に含有され、化学反応に起因する熱を生成する発熱素材と
を含み、
上記によって、前記発熱素材が活性化されると熱が生成される、自己発熱性スリーブ。
【請求項２０】
熱生成型の化学的に活性化される素材をスリーブ内に設けるステップと、
前記熱生成型の化学的に活性化される素材を活性化させるステップと、
歯科用素材を含有する歯科用カートリッジを覆ってスリーブを設けるステップと、
前記歯科用素材が所定の温度に達した後、前記歯科用素材を分配するステップと
を含む、歯科用素材を加熱する方法。
【発明の詳細な説明】
【技術分野】
【０００１】
本発明は、概して、歯科用素材の使用に関し、具体的には、歯科用素材を加熱して、快適さと素材の特性とを向上させることに関する。本発明はまた、概して、製造物を支持および加熱するためのポーチに関し、具体的には、カプセル内に含有される歯科用コンポジットを使用前に自己発熱させるための単位用量のポーチに関する。
【背景技術】
【０００２】
医療用のデバイスまたは素材に熱を適用することによって、デバイスの使用をさらに快適にするかまたはさらに使用し易くするようにするという分野は、いくつかある。そのような適用の１つは、歯内へコンポジットレジンの修復用素材を注入し充填することにある。これらの素材は、高密度に充填されており、粘性が高く、窩洞形成部に設けて一致させるのが難しい。これらの素材に熱を適用することで、一時的に粘性が減少し、歯の形成窩洞内への流れが向上することになる。
【０００３】
歯科用コンポジットレジンは、通常は、嵩のあるスクリューシリンジまたは直接注入用プレフィルドシリンジチップまたはカートリッジにパッケージされる。室温では、これらの素材は、流れに抵抗を有し、多くの場合にその容器から押し出し難い。熱（１００〜１３０°Fまたは３７.８〜５４.４℃）を適用することで、これらの素材の粘性は一時的に低減し、使用し易いものとなる。さらに、設ける前にコンポジットレジンを温めることによる追加の臨床上の利益がある。これらには、変換率および硬度の向上が含まれる。
【０００４】
現在、市場には、嵩のあるシリンジまたはコンポジットチップまたはカートリッジを加熱するために設計された電気加温デバイスがある。これらは、高価であり、使用するためには電気コンセントに接続する必要があり、このことは、それらを歯科医院において動きの取れないものとしている。長い処置を行う間には、コンポジットシリンジまたはプレフィルドチップまたはカートリッジを、時々再加熱用のユニットに戻す必要がある場合がある。このことは、ユニットを椅子脇、すなわち患者のすぐ隣に置くことができない場合に不都合である。さらに、ブロックヒーターは、適切な無菌処置を行うことなく複数の患者に使用される場合、交叉汚染源となるものと考えることができる。
【０００５】
それゆえ、歯の修復に際して、歯科用コンポジットなどの医療用のデバイスまたは素材の温度を使用前に上昇させるための、便利な方法が求められている。 
【発明の概要】
【０００６】
本発明は、化学的に活性化される発熱素材を有するポーチである。自己発熱性スリーブは、折り畳まれて、ポケットまたはポーチを形成してもよく、その中には、加熱される歯科用素材を含有するチップまたはシリンジが設けられてもよい。発熱素材は、機械的なアクチベーターまたはトリガーに接する液体であってもよく、このアクチベーターまたはトリガーは、操作された際に発熱素材に発熱反応を誘発し、この発熱素材は、所定の温度に加熱される歯科用素材を含有するシリンジのチップを速やかに加熱する。
【０００７】
したがって、本発明の一目的は、使用前に有利な特性を提供する歯科用素材を加熱することである。
【０００８】
本発明の一目的は、速やかに達して一定期間持続することのできる温度を提供することである。
【０００９】
本発明のさらに別の目的は、発熱素材が達することのできる最大温度を制限することによって、歯科用素材の過熱を防ぐことである。
【００１０】
本発明の利点は、いかなる電力もなく使用されることである。
【００１１】
本発明の別の利点は、携帯可能であり、小さなサイズであることである。
【００１２】
本発明のさらに別の利点は、比較的高価ではなく、それゆえ単回使用に適していることである。
【００１３】
本発明の特徴は、発熱素材がトリガーによって活性化され、発熱反応をもたらすことである。
【００１４】
本発明の別の特徴は、折り畳まれて、歯科用素材を含有するチップまたはシリンジを支持するためのポケットを形成することである。
【００１５】
本発明のさらに別の特徴は、自己発熱性スリーブから延長部が延伸し、延長部内に含有されるトリガーが容易に活性化するのを可能にすることである。
【００１６】
これらおよび他の目的、利点、および特徴は、以下のさらに詳細な記載を考慮して、さらに簡単に明らかになってゆくであろう。
【図面の簡単な説明】
【００１７】
【図１】機械的な利点を有するシリンジ上に設けられた本発明を、概略的に図説する斜視図である。
【図２】シリンジのバレル上に設けられた本発明を、図１中の線２−２に沿って図説する部分断面図である。
【図３】シリンジのバレル上に設けられた本発明を図説する正面図である。
【図４】嵩のあるシリンジのバレルに設けられた本発明を図説する部分断面図である。
【図５Ａ】本発明の実施形態を図説する正面図である。
【図５Ｂ】図５Ａに図説される実施形態の平面図である。
【図５Ｃ】図５Ａ〜Ｂに図説される実施形態におけるシリンダーの形成を図説する正面図である。
【図６Ａ】本発明の別の実施形態を図説する斜視図である。
【図６Ｂ】図６Ａに図説される実施形態におけるチューブの形成を図説する斜視図である。
【図７Ａ】本発明の別の実施形態を概略的に図説する斜視図である。
【図７Ｂ】図７Ａに図説される実施形態を概略的に図説する断面斜視図である。
【図８】本発明の別の実施形態を概略的に図説する斜視図である。
【図９Ａ】本発明の自己発熱性ポーチに用いる各種のアクチベーターまたはトリガーを概略的に説明する図である。
【図９Ｂ】本発明の自己発熱性ポーチに用いる各種のアクチベーターまたはトリガーを概略的に説明する図である。
【図９Ｃ】本発明の自己発熱性ポーチに用いる各種のアクチベーターまたはトリガーを概略的に説明する図である。
【図９Ｄ】本発明の自己発熱性ポーチに用いる各種のアクチベーターまたはトリガーを概略的に説明する図である。
【図９Ｅ】本発明の自己発熱性ポーチに用いる各種のアクチベーターまたはトリガーを概略的に説明する図である。
【図９Ｆ】本発明の自己発熱性ポーチに用いる各種のアクチベーターまたはトリガーを概略的に説明する図である。
【図９Ｇ】本発明の自己発熱性ポーチに用いる各種のアクチベーターまたはトリガーを概略的に説明する図である。
【図１０】本発明の露出部分を概略的に説明する図である。
【図１１Ａ】本発明の別の実施形態の平面図である。
【図１１Ｂ】図１１Ａの線１１Ｂ−１１Ｂに沿った横断面図である。
【図１２Ａ】本発明のさらに別の実施形態の平面図である。
【図１２Ｂ】図１２Ａの線１２Ｂ−１２Ｂに沿った横断面図である。
【図１３】本発明の別の実施形態を概略的に説明する図である。
【図１４Ａ】本発明のさらに別の実施形態を概略的に説明する図である。
【図１４Ｂ】本発明のさらに別の実施形態を概略的に説明する図である。
【図１４Ｃ】本発明のさらに別の実施形態を概略的に説明する図である。
【図１４Ｄ】本発明のさらに別の実施形態を概略的に説明する図である。
【図１４Ｅ】本発明のさらに別の実施形態を概略的に説明する図である。
【図１５Ａ】本発明のいっそうさらに別の実施形態を概略的に説明する図である。
【図１５Ｂ】本発明のいっそうさらに別の実施形態を概略的に説明する図である。
【図１６Ａ】本発明の別の実施形態を概略的に説明する図である。
【図１６Ｂ】本発明の別の実施形態を概略的に説明する図である。
【図１７Ａ】本発明のさらに別の実施形態を概略的に説明する図である。
【図１７Ｂ】本発明のさらに別の実施形態を概略的に説明する図である。
【図１８Ａ】本発明のいっそうさらに別の実施形態を概略的に説明する図である。
【図１８Ｂ】本発明のいっそうさらに別の実施形態を概略的に説明する図である。
【図１８Ｃ】本発明のいっそうさらに別の実施形態を概略的に説明する図である。
【図１９Ａ】本発明のさらに別の実施形態を概略的に説明する図である。
【図１９Ｂ】本発明のさらに別の実施形態を概略的に説明する図である。
【図２０Ａ】本発明のさらに別の実施形態を概略的に説明する図である。
【図２０Ｂ】本発明のさらに別の実施形態を概略的に説明する図である。
【図２０Ｃ】本発明のさらに別の実施形態を概略的に説明する図である。
【図２１Ａ】本発明の部分を合わせて取り付けるための各種の閉鎖または取付け手段を、概略的に説明する図である。
【図２１Ｂ】本発明の部分を合わせて取り付けるための各種の閉鎖または取付け手段を、概略的に説明する図である。
【図２１Ｃ】本発明の部分を合わせて取り付けるための各種の閉鎖または取付け手段を、概略的に説明する図である。
【図２１Ｄ】本発明の部分を合わせて取り付けるための各種の閉鎖または取付け手段を、概略的に説明する図である。
【発明を実施するための形態】
【００１８】
本発明の実施形態は、嵩のあるシリンジもしくはシリンジ／チップの組み合わせの周囲を包む自己発熱性スリーブ、またはシリンジバレルを容易に中へ挿入することができる管状のスリーブである。このスリーブは、化学的に活性化されるかまたは空気で活性化される成分を含有して熱を生成することができる。活性化されると、シリンジバレルを挿入し、直ちに熱源によって取り囲む。熱の一般的な供給源の１つは、市販の携帯カイロで使用されており、ＨｅａｔＭａｘ  Ｉｎｃ、ダルトン、ジョージア州によって製造されるものなどがある。熱は、密閉されたパッケージが開かれて成分（鉄粉、水、塩、活性化された炭およびバーミキュライト）が酸素と反応した際に生成する。１５〜３０分以内に、内部温度は１３０°Ｆまたは５４．４℃に達し、１０時間まで続く。
【００１９】
本発明は、どちらも参照により本明細書に組み込まれている、１９９２年１１月２４日にＤｉｓｃｋｏ，Ｊｒ．に発行された「投与用の歯科用カートリッジ」という標題の米国特許第５，１６５，８９０号、および１９９６年２月６日にＤｒａｇａｎらに発行された「前端に硬質の落とし込み部を有する歯科用カートリッジ押出器」という標題の米国特許第５，４８９，２０７号に開示されているような、歯科用のカートリッジおよびシリンジシステムを用いて使用されてもよい。
【００２０】
図１は、機械的な利点を有する歯科用シリンジ１への本発明の適用を図説する。歯科用シリンジ１は、バレル２を有し、このバレルは、歯科用カートリッジから歯科用素材を押し出すために使用される往復プランジャー３を含有する。自己発熱性スリーブ４は、バレル２の一部を覆って設けられ、バレルは、押し出される歯科用素材を含有した歯科用カートリッジを支持する。図１は、孔６を有したシリンダー５を備える自己発熱性スリーブを図説する。シリンダー５および孔６は、歯科用シリンジ１０のバレル２を覆って設けられかつ該バレル上にしっかりと支持されるように適合した、内径および長手方向の長さを有する。したがって、自己発熱性スリーブ４が活性化されると、歯科用のカートリッジまたはチップの周囲全体の範囲が加熱される。
【００２１】
図２は、図１の線２−２に沿った部分断面図であり、バレル２の上かつ歯科用のカートリッジまたはチップ９の周りの自己発熱性スリーブ４の配置をさらに明確に図説する。歯科用のカートリッジまたはチップ９は、バレル２の遠位端８内に支持され、自己発熱性スリーブ４の孔６内に配置される。シリンダー５の外部環境と内部環境との間には、自己発熱性素材７がある。自己発熱性素材７は、好ましくは化学組成物を有し、この化学組成物は、活性化されると熱を生成して、９８°から１５５°Ｆまたは３６．７から６８．３℃の間の範囲の温度、好ましくはおよそ１３５°Ｆまたは５７．２℃を、少なくとも歯科処置を実施するために必要な時間の間、与える。
【００２２】
自己発熱性素材７は、好ましくは、空気へ曝されることによって活性化される。そのため、自己発熱性素材７が活性化されることが望ましい際に、ここに示されていない非通気性のカバーが取り除かれて自己発熱性素材７が空気に曝されるよう、自己発熱性スリーブのシリンダー５を形成する素材は、好ましくは通気性である。すなわち、初めに包装されていることもある自己発熱性スリーブ４は、空気を浸透させない素材または容器内に含有され、その結果、開けられた際に、スリーブ内に含有される自己発熱性素材７が活性化されて熱を生成する。しかし、自己発熱性素材７は、２つの異なる成分の組み合わせなど他の化学的手段によって活性化されて熱を生成することができるか、またはトリガーによって活性化される発熱過程に用いる、いかなる素材であってもよい。また、熱エネルギーを貯めるかまたは熱量を有し、それゆえひとたび加熱されると歯科用のカートリッジまたはチップの周囲に設けることのできる、スリーブが使用されてもよい。
【００２３】
図３は、歯科用のカートリッジまたはチップ９の周囲を包む自己発熱性スリーブ４のシリンダー５を図説する正面図であり、歯科用のカートリッジまたはチップ９は、図１に図説される歯科用シリンジ１のバレルの遠位端８内に支持される。
【００２４】
本発明は、歯科用素材を加熱するための他の適用および他のデバイスに使用されてもよい。例えば、図４は、嵩のあるカートリッジ１’上に支持されるように適合した自己発熱性スリーブ４を図説し、嵩のあるカートリッジ１’は、歯科用のカートリッジまたはチップ９を上に含有する。嵩のあるカートリッジ１’は、多くの場合、複数回投与分の歯科用素材を含有するシリンジから、１回投与分の歯科用素材を分配するために使用される。
【００２５】
自己発熱性素材の化学組成を変えることによって、適用に応じて、異なる時間にわたって異なる温度範囲を得てもよい。したがって、起こりうるいかなる不快感も患者に与えることを妨げるよう、医薬または人体に入れる他の素材を体温と同様の温度に温めるために、本発明の自己発熱性スリーブを使用してもよい。例えば、自己発熱性素材および自己発熱性スリーブを、医療用デバイス上に配置するために調整するかまたは適合させて、注射前に液体医薬を体温まで温めてもよい。このことは、特に麻酔剤に適用可能である。
【００２６】
加熱されたスリーブは、麻酔剤カープルまたはカープルシリンジを注射前に温めるために使用することができよう。研究では、麻酔剤を体温近くに温めることで、より痛みの少ない注射がもたらされることが示されている。麻酔剤カープル加温器は、長年、電気加熱ブロックまたは単純な白熱電球のどちらかを使用して、専門職に利用可能な状態にあった。
【００２７】
図５Ａ−Ｃは、本発明の別の実施形態を図説する。図５Ａは、シール１８’によって隔てられて定格された発熱素材ポケット２６’を有する自己発熱性スリーブ４’を図説する正面図である。発熱素材ポケット２６’のそれぞれの内部に設けられるのは、化学的に活性化されるかまたは発熱反応を始めるように誘発されることがある、自己発熱性素材７’である。自己発熱性スリーブ４’の各端上に、我々の取付け手段４６’がある。取付け手段４６’は、接着性のフック状およびループ状の留め具、または他の同等の留め具である可能性がある。図５Ｂは、自己発熱性スリーブ４’を図説する平面図である。この眺めは、複数の発熱素材ポケット２６’を隔てるシール１８’をさらに明らかに説明する。チャネル４４’は、発熱素材ポケット２６’のそれぞれの間に延伸する。チャネル４４’は、発熱素材ポケット２６’の間の経路が連続性を持つことを可能にする。中に含有された自己発熱性素材７’が誘発または活性化されると、自己発熱性素材７’の全てが活性化される。図５Ｃは、孔６’を有するシリンダーを形成する自己発熱性スリーブ４’のどちらかの端に形成される、取付け手段４６’の取付けを図説する。歯科用のカートリッジもしくはチップまたは歯科用シリンジは、中に含有される歯科用素材を熱するために、孔６’内に設けられてもよい。
【００２８】
図６Ａ〜Ｂは、発熱素材ポケット２６”およびシール１８’を有する自己発熱型スリーブ４”の別の実施形態を図説する。各発熱素材ポケット２６”の間で中央に位置するのは、チャネル４４”である。チャネル４４”は、各発熱素材ポケット２６”の間の流体連通を可能にする。発熱素材ポケット２６”内に含有され、かつ液体でもありうる発熱素材を、トリガー２４によって活性化することができるように、トリガー２４は、発熱素材ポケット２６”の１つの内部に含有される。適した発熱素材は、本発明の別の実施形態を参照してさらに充分に記載される。取付け手段４６”は、自己発熱性スリーブ４”の一端または両端に取り付けられる。図６Ｂは、取付け手段４６”を用いて端を合わせて取り付けることで孔６”を有するチューブ内へ形成される、自己発熱性スリーブ４”を図説する。
【００２９】
図７Ａは、本発明の別の実施形態を図示した斜視図である。自己発熱性製造物ポーチは、上位層１２、中位層１４、および下位層１６から作られる。自己発熱性製造物ポーチ１０の縁の周りのシール１８は、３つの層１２、１４、および１６を合わせて密閉する。この３つの層は、２つのポケット、すなわち製造物ポケットおよび発熱素材ポケットを形成する。製造物ポケットは、好ましくは、歯科用コンポジットや他の素材を含有するカプセル１１などの、加熱される製造物を含有する。カプセル１１は、本明細書に参照により組み入れられる、Ｄｒａｇａｎらに２００５年４月１２日に発行された「押出力を減少させて高粘性の歯科用コンポジット素材を配置するための歯科用カプセル」という標題の米国特許第６，８７７，９８３号に開示されるような、歯科用カプセルであっても良い。切り口またはスリット２０は、中にカプセル１１を含有する製造物ポケットに近付くために開口２２を形成する。アクチベーターまたはトリガー２４は、製造物ポケットに隣接または対向する発熱素材ポケットに含有される発熱素材を、活性化するために使用される。
【００３０】
図７Ｂは、自己発熱性製造物ポーチ１０の区画を図説し、発熱素材ポケット２６および製造物ポケット２８をさらに明確に図説する。発熱素材ポケット２６は、アクチベーターまたはトリガー２４によって活性化される発熱素材３０を含有する。発熱素材３０は、発熱素材ポケット２６内の中位層１４と下位層１６との間に密閉される。発熱素材３０は、含有される自己発熱性の、または化学的に活性化される発熱性の、いかなる素材であってもよい。例えば、そのような発熱素材の１つは、水に溶解した過飽和の酢酸ナトリウムである。結晶化の過程が誘発された際には、金属ディスクなどのアクチベーターまたはトリガー２４を使用して、酢酸ナトリウムは酢酸ナトリウム三水和物となってゆく。少量の水を添加した／しない酢酸ナトリウム三水和物が、融点を過ぎて加熱され、続いて冷却された際には、水溶液は過飽和となってゆく。過飽和とは、通常で溶媒に溶解しているよりも多くの物質が溶解している溶液の状態であり、この場合、溶媒は水である。過飽和の酢酸ナトリウム溶液は、結晶を形成することなく室温で安定のままでいることが可能である。発熱ポーチ１０内でトリガー２４または金属ディスクを押圧することによって、金属ディスク上のスロットの表面で新しい表面が露出し、その後、核形成中心が形成され、その結果、溶液が結晶化し固体の酢酸ナトリウム三水和物へ戻る。酢酸ナトリウム三水和物の結晶は、１３７．１２°Ｆまたは５８．４℃の融解温度を有し、融解した際に、その結晶水に溶解する。過飽和の酢酸ナトリウムが結晶化する過程の間、溶液は、酢酸ナトリウム三水和物の結晶と水との両方を含有する。そのため、混合物の温度は、１３７．１２°Ｆまたは５８．４℃に留まる。結晶化の結合形成過程は、発熱性であり、熱を放出する。その結果、発熱素材は、結晶化過程が完了するまで、１３７．１２°Ｆまたは５８．４℃と同じ温度にまで周囲の素材を熱する。
【００３１】
図８は、本発明の別の実施形態を図説する。この実施形態では、複数の自己発熱性ポーチが折り畳まれて、ポケット１２８を形成し、その中には、カプセル、シリンジや他のデバイスなどの製造物が加熱のために設けられてもよい。自己発熱性ポーチ１１０は、合わせて取り付けられる。自己発熱性ポーチ１１０Ａ、１１０Ｂ、および１１０Ｃは、シール１１８Ａ、１１８Ｂ、および１１８Ｃによって密閉される。自己発熱性ポーチ１１０Ａ、１１０Ｂ、および１１０Ｃのうちそれぞれ１つに設けられるのは、アクチベーターまたはトリガー１２４Ａ、１２４Ｂ、１２４Ｃである。アクチベーターまたはトリガー１２４Ａ、１２４Ｂ、１２４Ｃは、自己発熱性ポーチ１１０Ａ、１１０Ｂ、および１１０Ｃのそれぞれに含有される発熱素材に接する。代替の実施形態としては、アクチベーターまたはトリガーの１つのみが、自己発熱性ポーチ１１０Ａ、１１０Ｂ、または１１０Ｃのうち１つに使用されてもよく、これらのポーチは、自己発熱性ポーチ１１０Ａ、１１０Ｂ、および１１０Ｃを相互接続するように、非密閉部分によって形成されるチャネルによって接続される。自己発熱性ポーチ１１０Ａ、１１０Ｂ、および１１０Ｃのそれぞれに含有される発熱素材は、次いで、１つのアクチベーターまたはトリガーと、発熱素材の核形成とによって活性化することができ、この核形成は、チャネルを通じて自己発熱性ポーチ１１０Ａ、１１０Ｂ、および１１０Ｃの全てへと進む。この実施形態では、単一のアクチベーターまたはトリガーのみが必要とされる。自己発熱性ポーチ１１０Ａ、１１０Ｂ、および１１０Ｃは、折り重なって、加熱される製造物またはデバイスを受けるためのポケット１２８を形成する。本発明のこの実施形態は、さらに大きな製造物またはデバイスに適応されてもよい。
【００３２】
図９Ａ〜Ｇは、活性化素材の新しい表面を作り出して、発熱素材中で化学反応または結晶化を活性化または誘発する、各種のアクチベーターまたはトリガーを図説する。図９Ａは、新しい表面を作り出すための棒２３２および破断点２３４を含む、アクチベーターまたはトリガー２２４を図説する。図９Ｂは、新しい表面を形成するようにねじるための切り込み３３４が中に形成されたシート３３２を含む、アクチベーターまたはトリガー３２４を図説する。図９Ｃは、新しい表面を形成するための湾曲部４３４を有したシート４３２を含む、アクチベーターまたはトリガー４２４を図説する。図９Ｄは、新しい表面を形成するためのスロット３４を有した金属ディスク３２を含む、アクチベーターまたはトリガー２４を図説する。図９Ｅは、塞栓または棒５３４の付いた通穴を中に有したシリンダーまたはバレル５３２を含む、アクチベーターまたはトリガー５２４を図説し、この通穴は、棒を通穴から引っ張るかまたは通穴を押し通して、シリンダーまたはバレル５３２の他端に新しい表面を露出させた際に、新しい表面を形成するためのものである。図９Ｆは、ピン６３４を含む、アクチベーターまたはトリガー６２４を図説する。ピン６３４が押し込まれてポーチ１０を穿孔した際に、中に含有される発熱素材が活性化される。ひとたび活性化されると、直ちに発熱素材中で結晶の形成が起こるため、ポーチは漏れることがない。図９Ｇは、曲げることによって活性化される、アクチベーターまたはトリガー７２４を図説する。針金７３４は、隣り合う２つのプラスチック棒７３２の隣接する端の内部に挿入される。隣り合う２つのプラスチック棒７３２を互いに対して曲げると、針金７３４の新しい部分が露出して、発熱素材中で結晶を形成するためのトリガーとして作用する。これらのアクチベーターまたはトリガーのうちいずれか１つを使用して、発熱反応を活性化、誘発、または開始して、発熱素材中で熱を生成させてもよい。 
【００３３】
図１０は、アクチベーターまたはトリガー３３２を使用した本発明の実施形態を図説する。発熱素材中で発熱反応を活性化または誘発するために、アクチベーターまたはトリガー３３２は、新しい表面を露出するようにねじられてもよい。
【００３４】
図１１Ａ〜Ｂは、容易に開くと思われる本発明の別の実施形態を図説する。自己発熱性製造物ポーチ３１０は、製造物またはカプセル３１１を有し、３１１は、開口カバー３４２の下にかつ製造物ポケット３２８内に設けられる。開口カバー３４２は、自己発熱性製造物ポーチ３１０の縁をまたいで延伸するプルタブ３３８を有する。上位層３１２に形成された貫通穴３３６は、上位層３１２から隔てる簡単な隔離線を開口カバー３４２に与えて、製造物またはカプセル３１１を製造物ポケット３２８から取り出すことを可能にする。製造物またはカプセル３１１の下には、中位層３１４と下位層３１６との間で発熱素材ポケット３２６を有して密閉された発熱素材３３０がある。自己発熱性製造物ポーチ３１０の外周は、シール３１８によって密閉される。シール３１８は、熱形成されてもよい。発熱素材３３０は、発熱素材ポケット３２６内に含有されるアクチベーターまたはトリガー２４によって活性化される。本発明のこの実施形態では、製造物またはカプセル３１１は、単位用量の自己発熱性製造物ポーチ３１０に予めパッケージされていてもよい。製造物またはカプセル３１１を使用しようとする直前に、アクチベーターまたはトリガー２４を曲げるかねじって、発熱素材３３０中で発熱反応を活性化させてもよい。製造物またはカプセル３１１を加熱するのに充分な所定の時間が経った後、プルタブ３３８を使用して開口カバー３４２を開いて、加熱された製造物またはカプセル３１１を露出して、中に含有される加熱された歯科用コンポジット素材の分配に使用するために取り出せるようにしてもよい。中に含有される歯科用コンポジット素材は、歯科用シリンジを使用して押し出されてもよく、そのようなシリンジとしては、本明細書に参照により組み入れられる、Ｄｒａｇａｎらに１９９６年２月６日に発行された「前端に硬質の落とし込み部を有する歯科用カートリッジ押出器」という標題の米国特許第５，４８９，２０７号に開示されているものなどがある。
【００３５】
図１２Ａ〜Ｂは、本発明の別の実施形態を図説する。この実施形態では、自己発熱性製造物ポーチ内に、別の発熱素材容器が含有される。自己発熱性製造物ポーチ４１０は、下位部分または本体４１６から取り外し可能な上位部分４１２を有する。上位部分４１２は、自己発熱性製造物ポーチ４１０を開封するよう、容易に裂くことのできるスリット４３６を用いて下位部分または本体４１６から容易に取り除かれてもよい。上位部分４１２もまた、熱保持素材または遮蔽物を含んでいてもよい。自己発熱性製造物ポーチ４１０内に含有されるのは、中に発熱素材４３０が含有される発熱素材容器４２６である。発熱素材容器４２６は、透明または半透明のプラスチック素材から作られてもよい。発熱素材４３０は、発熱素材４３０と接触して発熱素材容器４２６内に含有される、アクチベーターまたはトリガー２４によって活性化される。好ましくは、自己発熱性製造物ポーチ４１０が密閉された際にアクチベーターまたはトリガー２４が目に見えるように、自己発熱性製造物ポーチ４１０の一部は、透明または半透明の素材から作られる。さらに、自己発熱性製造物ポーチ４１０の一部は、反射性素材または赤外線反射性もしくは熱反射性素材の被覆から作られて、発熱素材４３０が活性化された際に熱の損失を防止してもよい。自己発熱性製造物ポーチ４１０はまた、熱遮蔽性の被覆または素材を中または上に含有して、熱の保持を可能にする。歯科用素材４１３を中に備えたカプセル４１１は、自己発熱性製造物ポーチ４１０内に含有される発熱素材容器４２６上に設けられる。ポーチまたはカプセル４１１が所望の温度に達している際に、熱感受性インクまたは塗料を使用して標示されてもよい。熱感受性インクまたは塗料４１５Ａが、カプセル４１１上に印刷されてもよいし、または、熱感受性インク又は塗料４１５Ｂが、ポーチ４１０上に印刷されてもよい。熱感受性インクまたは塗料は、任意の所望の所定の温度で色を変えるように配合されてもよい。それゆえ、熱感受性インクまたは塗料によって、歯科用素材４１３が所望の温度に達していることを目視で確認することが可能になる。
【００３６】
施療の際には、カプセル４１１が使用される歯科処置を行う前に、発熱素材容器４２６内に含有されるアクチベーターまたはトリガー２４を曲げることによって、発熱素材４３０が活性化される。発熱素材容器４２６の一部および自己発熱性製造物ポーチ４１０が、透明または半透明である際には、アクチベーターまたはトリガー２４は、アクチベーターまたはトリガー２４に対する感覚によって、または目に見えるように、密閉された自己発熱性製造物ポーチ４１０に位置していてもよい。発熱素材４３０が活性化された後、発熱素材は、所定の所望の温度を生成して、カプセル４１１およびその中に含有される歯科用素材４１３を加熱する。歯科用素材４１３を加熱することによって、流動性が向上し、物性が高められる。カプセル４１１およびその中に含有される歯科用素材４１３が加熱された後、自己発熱性製造物ポーチ４１０が開けられてもよく、カプセル４１１が取り出されて歯科用シリンジなどの適切な塗布器デバイスに設けられてもよい。
【００３７】
図１３は、本発明の別の実施形態を図説する。この実施形態では、カプセルポケット５３１は、自己発熱性製造物ポーチ５１０内の発熱素材容器５２６上の場所にあるカプセル５１１を支持する。カプセルポケット５３１は、発熱素材容器５２６にある窪みであるか、または開口を備えて発熱素材容器５２６の一部を覆う素材を有していてもよい。アクチベーターまたはトリガー２４は、発熱素材容器５２６内に含有される発熱素材を活性化する。
【００３８】
図１４Ａ〜Ｅは、本発明の別の実施形態を図説する。この実施形態では、上部および下部の発熱素材容器が使用される。双チャンバー型自己発熱性製造物ポーチ６１０は、チャネル６４４によって隔てられた上部発熱素材容器６２６Ａおよび下部発熱素材容器６２６Ｂを含む。密閉された縁６１８は、上部および下部の発熱素材容器６２６Ａおよび６２６Ｂの外周を密閉する。但し、チャネル６４４を除いて密閉する。チャネル６４４は、実質的に中心にまたは双チャンバー型自己発熱性製造物ポーチ６１０の中間に位置し、上部および下部の２つの発熱素材容器６２６Ａおよび６２６Ｂの間の連通を可能にする。
【００３９】
図１４Ｂは、チャネル６４４を巡って上部発熱素材容器６２６Ａを下部発熱素材容器６２６Ｂの上に折り畳むことによって、中心ポケットが形成されることを図説する。上部および下部の発熱素材容器６２６Ａおよび６２６Ｂの周縁は、接触接着剤６４６などのいかなる取付け手段で取り付けられてもよい。上部および下部の発熱素材容器６２６Ａおよび６２６Ｂは、ここに図説されないクリップなどの機械的な手段で取り付けられてもよい。
【００４０】
図１４Ｃは、上部発熱素材容器６２６Ａと下部発熱素材容器６２６Ｂとの間に中心ポケット６３１が形成されることを図説する欄である。発熱素材６３８Ａが、上部発熱素材容器６２６Ａの内部に設けられ、発熱素材６３８Ｂが、下部発熱素材容器６２６Ｂの内部に設けられる。発熱素材容器６２６Ａまたは６２６Ｂのうち１つに含有されるアクチベーターまたはトリガー２４によって活性化される、発熱素材６３０Ａおよび６３０Ｂを、図１４Ａ〜Ｂに図説する。双チャンバー型自己発熱性製造物ポーチ６１０の一方の縁の上には、ポケット開口６２２がある。ここに図説されないカプセルが、ポケット開口６２２内に設けられる。
【００４１】
図１４Ｄは、ポケット開口６２２内に設けられた歯科用素材６１３を含有する、カプセル６１１を図説する。歯科用素材６１３は、いかなる歯科用素材であってもよいが、好ましくは、加熱後に特性が向上することになる歯科用コンポジットである。
【００４２】
図１４Ｅは、図１４Ｄの線１４Ｅ〜１４Ｅに沿った横断面であり、ポケット６３１内に設けられたカプセル６１１およびその中に設けられた歯科用素材６１３を明確に図説する。
【００４３】
図１４Ａ〜Ｅに図説される実施形態では、カプセル６１１およびその中の加熱される歯科用素材６１３は、上部および下部の発熱素材６３０Ａおよび６３０Ｂによって、両側で好都合に囲まれている。アクチベーターまたはトリガー２４によって上部発熱素材容器６３６Ａの発熱素材６３０Ａが活性化されると、発熱素材６３０Ａの核形成過程がチャネル６４４を通過して、下部発熱素材容器６２６Ｂに含有される発熱素材６３０Ｂを活性化させる。
【００４４】
図１５Ａ〜Ｂは、本発明の別の実施形態を図説する。この実施形態は、図７Ａ〜Ｂに図説される実施形態と同様であるが、図１５Ａ〜Ｂに図説される実施形態は、部分カバーを有するのみである。自己発熱性製造物ポーチ７１０は、自己発熱性素材およびアクチベーターまたはトリガー２４を中に含有する、密閉されたポーチチャンバー７２６を有する。カバー７１２は、密閉されたポーチチャンバー７２６を覆って設けられ、外周シール７１８を有する。カバー７１２は、密閉されたポーチチャンバー７２６の一部をカバーするのみである。ポケット開口７２２は、密閉されたポーチチャンバー７２６の表面に隣接して形成される。歯科用カプセルなどの製造物は、ポケット開口７２２内に容易に滑り込ませてもよい。
【００４５】
図１６Ａ〜Ｂは、本発明の別の実施形態を図説する。この実施形態では、中央シールが、ポケットに追加の空間を与える。自己発熱性製造物ポーチ８１０は、自己発熱性素材およびアクチベーターまたはトリガー２４を中に含有する、密閉されたポーチチャンバー８２６を有する。密閉されたポーチチャンバー８２６は、外周シール８１８を有する。中央シール８１８Ａは、密閉されたポーチチャンバー８２６の長さの一部に沿って形成され、ポーチチャンバー８２６は、中央シール８１８Ａによって形成される異なる区画に連続性を与える。カバー８１２は、密閉されたポーチチャンバー８２６を覆って設けられ、かつその３つの側を密閉して、ポケット開口８２２を形成する。中央シール８１８Ａは、ポケット８２８が、カバー８１２と密閉されたポーチチャンバー８２６の上位表面との間に形成されることを可能にする。このことは、歯科用カプセルなどの製造物を容易に設けて、カバーされた自己発熱性製造物ポーチ８１０によって加熱することを可能にする。
【００４６】
図１７Ａ〜Ｂは、本発明のさらに別の実施形態を図説する。この実施形態は、図８に図説される実施形態と同様であるが、部分的にのみチャンバーを区画に分けるシールを有し、このことによって、中に含有される発熱素材に連続性を与えて活性化を促進する。折り畳まれた自己発熱性製造物ポーチ９１０は、主要シール９１８と、２つの部分埋合せシール９１８Ａおよび９１８Ｃならびにその間に部分中央シール９１８Ｂとを有する。アクチベーターまたはトリガー２４は、区分けされて密閉されたポーチチャンバー９２６内に、自己発熱性素材と共に含有される。図１７Ｂに図説するように、密閉されたポーチチャンバー９２６は、それ自体の上に折り重ねられてもよく、その結果、埋め合わせシール９１８Ａおよび９１８Ｃは、互いに隣接して設けられてポケット空間９２８を形成する。このポケット空間９２８は、歯科用カプセルなど、設けられる製造物のための空間を提供する。密閉されたポーチチャンバー９２６内でアクチベーターまたはトリガー２４を操作すると、チャンバーで区画が連続しているために、部分シール９１８Ａ、９１８Ｂ、９１８Ｃによって隔てられた全ての区画で、自己発熱性素材が活性化されることになる。自己発熱性製造物ポーチ９１０の折り重ねられた部分を、接着剤、クリップやゴム紐などの任意の便利な取付け手段によって合わせて留めてもよい。折り重ねられた自己発熱性製造物ポーチ９１０はまた、いかなる追加の固定も行うことなく折り重ねられたままとなるように、充分に適合されてもよい。
【００４７】
図１８Ａ〜Ｃは、本発明のさらに別の実施形態を図説する。この実施形態は、図１６Ａ−Ｂに図説される実施形態と同様であるが、丸型であり、かつ部分的なカバーを有するにすぎない。カバーされた丸型の自己発熱性製造物ポーチ１０１０は、カバー１０１２を有し、このカバーは、自己発熱性素材およびアクチベーターまたはトリガー２４を含有する密閉されたポーチチャンバー１０２６の上位表面を、部分的にカバーする。密閉されたポーチチャンバー１０２６は、外周シール１０１８を有する。密閉されたポーチチャンバー１０２６のほぼ中央に形成されるのは、部分中央シール１０１８Ａであり、このシールは、密閉されたポーチチャンバー１０２６の直径に沿って部分的に延伸し、２つの区画を形成する。部分中央シール１０１８Ａは、２つの区画の間に連続性を与え、トリガーまたはアクチベーター２４の操作によって活性化されると、密閉されたポーチチャンバー１０２６内に含有される自己発熱性素材の全てを活性化させることを可能にする。図１８Ｃに図説されるように、自己発熱性素材１０３０は、上位層１０１４と下位層１０１６との間に含有され、部分中央シール１０１８Ａによって、部分的に２つの区画に隔てられる。部分中央シール１０１８Ａは、ポケット空間１０２８の形成を引き起こし、このポケット空間は、部分中央シール１０１８Ａとカバー層１０１２との間に形成される。ポケット空間１０２８は、空間の開口１０２２を有する。このことによって、歯科用カプセルなどの加熱される製造物を容易に設けるための開口および空間がもたらされる。
【００４８】
図１９Ａ〜１９Ｂは、本発明の好適な実施形態を図説する。この実施形態では、可撓性のある透明なプラスチックが使用されて、折り畳まれた透明な自己発熱性ポーチ１１１０を形成する。折り畳まれた自己発熱性ポーチ１１１０は、密閉されたポーチチャンバー１１２６Ａに隣接して取り付けられた折り畳まれたカバー１１１２を有し、このポーチチャンバー１１２６Ａは、トリガー２４によって誘発された際に、熱を生成する発熱性化学反応を生じる自己発熱性素材液で充填されている。密閉されたポーチチャンバー１１２６Ａに隣接するのは、別の密閉されたポーチチャンバー１１２６Ｂである。密閉されたポーチチャンバー１１２６Ａおよび１１２６Ｂは、それらの間を連通するチャネル１１４４を有する。中心シール１１１８Ａは、２つの密閉されたポーチチャンバー１１２６Ａと１１２６Ｂとの間に設けられる。また、密閉されたポーチチャンバー１１２６Ａと１１２６Ｂとの間にありかつその縁に隣接して設けられるのは、縁の開口１１２１である。密閉されたポーチチャンバー１１２６Ａおよび１１２６Ｂの外周は、外周シール１１１８を有する。密閉されたポーチチャンバー１１２６Ａは、内部シール１１１７を有し、密閉されたポーチチャンバー１１２６Ｂは、内部シール１１１７を有し、内部シール１１１７は、自己発熱性素材活性化トリガー２４を含有する延長部１１２７に隣接して設けられる。接着剤、フックおよびループファスナー、磁石や他の同等のファスナーなどの取付け手段１１４６は、折り畳まれたカバー１１１２の遠位端に取付けられる。
【００４９】
矢印で図説されるように、自己発熱性ポーチ１１１０が折り畳まれると、折り畳まれたカバー１１１２は、２つの密閉されたポーチチャンバー１１２６Ａおよび１１２６Ｂを合わせて留め、中にカプセルが設けられうるポケットを形成する。縁の開口１１２１は、カプセルの挿入を促進するいくらかのコンプライアンスを与えることによって、カプセルの挿入を促進する。ひとたび折り畳まれると、自己発熱性ポーチ１１１０は、容易に曲げることによって、またはアクチベーターまたはトリガー２４を操作することによって活性化されて、中に含有される自己発熱性素材中に化学発熱反応を開始させてもよい。折り畳まれた自己発熱性ポーチ１１１０の外部のアクチベーターまたはトリガー２４が位置する延長部１１２７は、自己発熱性ポーチ１１１０が折り畳まれた後に、自己発熱性素材に簡単に誘発をもたらすことを促進する。密閉されたポーチチャンバー１１２６Ａ上に形成される内部シール１１１７は、カプセルの挿入を促進するポケットが形成されるのに助けとなる。
【００５０】
図２０Ａ〜Ｂは、図１９Ａ〜Ｂに図説されるものと同様であるが、各種の形状の折畳みカバー１２１２を有する、別の実施形態を図説する。折り畳まれた自己発熱性ポーチ１２１０は、外周シール１２１８を有する密閉されたポーチチャンバー１２２６Ａおよび１２２６Ｂを備えて、折畳みカバー１２１２を有する。中心シール１２１８Ｂは、カバー１２１２を、密閉されたポーチチャンバー１２２６Ａから隔てる。密閉されたポーチチャンバー１２２６Ａおよび１２２６Ｂを隔てているのは、中心シール１２１８Ａである。中心シール１２１８Ａのどちらかの端の上には、チャネル１２４４があり、このチャネルは、密閉されたポーチチャンバー１２２６Ａと１２２６Ｂとの間の連通を可能にする。密閉されたポーチチャンバー１２２６Ｂから延伸するのは、アクチベーターまたはトリガー２４を中に支持する延長部１２２７である。密閉されたポーチチャンバー１２２６Ｂ上に、延長部１２２７に隣接して形成される内部シール１２１７は、アクチベーターまたはトリガー２４を延長部１２２７内に保持する際に助けとなる。図２０Ｂは、取付け手段１２４６を図説しており、この取付け手段は、圧力感受性の接着剤または他の同等のファスナーであってもよい。図２０Ｃは、取付け手段１２４６’を図説しており、この取付け手段１２４６’は、カバー１２１２を、密閉されたポーチチャンバー１２２６Ｂに固定するかまたはしっかり留めるための、フックおよびループファスナー、または他の同等のファスナーであってもよい。
【００５１】
図２１Ａ〜Ｄは、各種の取付け手段を概略的に図説する。折り畳まれた自己発熱性ポーチ１３１０は、密閉されたポーチチャンバー１３２６Ａおよび密閉されたポーチチャンバー１３２６Ｂを有し、それらは、間にポケット空間１３２８を形成するように折り畳まれている。密閉されたポーチチャンバー１３２６Ａは、内部シール１３１７を中に有していてもよい。外周シール１３１８は、密閉されたポーチチャンバー１３２６Ａおよび１３２６Ｂを密閉する。図２１Ｂは、壊れやすいシール１３４６’を有した圧力感受性接着剤タブ１３４６として、取付け手段を図説する。圧力感受性接着剤タブ１３４６は、外周シール１３１８を巡らせて設けられた際に、折り畳まれた自己発熱性ポーチ１３１０を閉じるのを支持する。折り畳まれた自己発熱性ポーチ１３１０は、壊れやすいシール１３４６’を壊すことによって開いてもよい。図２１Ｃ〜Ｄは、解除可能なタック溶接部１３４６”の取付け手段を図説する。外周シール１３１８が合わされた際に、ポケットを形成するように、そこに熱および圧力を適用して、密閉されたポーチチャンバー１３２６Ａおよび１３２６Ｂを合わせて軽くタック溶接してもよい。折り畳まれた自己発熱性ポーチ１３１０が開きうるように、タック溶接部１３４６”は、解除可能であってもよい、
【００５２】
本発明の自己発熱性製造物ポーチは、麻酔剤カープルなどの他の製造物または素材を加熱または加温するために使用されてもよい。
【００５３】
本発明は、カプセル内に含有される歯科用コンポジットを加熱するための簡単で便利なデバイスおよび方法を提供し、このカプセルは、椅子脇で、および必要な時に要求に応じて、容易に加熱することができる。本発明はまた、加熱される素材が過熱しないことを確かなものとするが、これは、その発熱素材の温度に加熱することができるのみであるためである。酢酸ナトリウム三水和物で構成される発熱素材では、加熱温度が、発熱素材の融点であるおよそ１３７°Ｆまたは５８℃に制限される。このことによって、歯科医療が容易になる。
【００５４】
本発明は、歯科用素材を加熱するための便利で経済的な方法を提供し、歯科医療を容易にする。
【図１】
2017525432.tif 000003
【図２】
2017525432.tif 000004
【図３】
2017525432.tif 000005
【図４】
2017525432.tif 000006
【図５Ａ】
2017525432.tif 000007
【図５Ｂ】
2017525432.tif 000008
【図５Ｃ】
2017525432.tif 000009
【図６Ａ】
2017525432.tif 000010
【図６Ｂ】
2017525432.tif 000011
【図７Ａ】
2017525432.tif 000012
【図７Ｂ】
2017525432.tif 000013
【図８】
2017525432.tif 000014
【図９Ａ】
2017525432.tif 000015
【図９Ｂ】
2017525432.tif 000016
【図９Ｃ】
2017525432.tif 000017
【図９Ｄ】
2017525432.tif 000018
【図９Ｅ】
2017525432.tif 000019
【図９Ｆ】
2017525432.tif 000020
【図９Ｇ】
2017525432.tif 000021
【図１０】
2017525432.tif 000022
【図１１Ａ】
2017525432.tif 000023
【図１１Ｂ】
2017525432.tif 000024
【図１２Ａ】
2017525432.tif 000025
【図１２Ｂ】
2017525432.tif 000026
【図１３】
2017525432.tif 000027
【図１４Ａ】
2017525432.tif 000028
【図１４Ｂ】
2017525432.tif 000029
【図１４Ｃ】
2017525432.tif 000030
【図１４Ｄ】
2017525432.tif 000031
【図１４Ｅ】
2017525432.tif 000032
【図１５Ａ】
2017525432.tif 000033
【図１５Ｂ】
2017525432.tif 000034
【図１６Ａ】
2017525432.tif 000035
【図１６Ｂ】
2017525432.tif 000036
【図１７Ａ】
2017525432.tif 000037
【図１７Ｂ】
2017525432.tif 000038
【図１８Ａ】
2017525432.tif 000039
【図１８Ｂ】
2017525432.tif 000040
【図１８Ｃ】
2017525432.tif 000041
【図１９Ａ】
2017525432.tif 000042
【図１９Ｂ】
2017525432.tif 000043
【図２０Ａ】
2017525432.tif 000044
【図２０Ｂ】
2017525432.tif 000045
【図２０Ｃ】
2017525432.tif 000046
【図２１Ａ】
2017525432.tif 000047
【図２１Ｂ】
2017525432.tif 000048
【図２１Ｃ】
2017525432.tif 000049
【図２１Ｄ】
2017525432.tif 000050
【国際調査報告】
2017525432.tif 000051